(57)【要約】【課題】シンクの位置をカウンターに対して相対移動可能とするとともに、ワークトップの広さを変えることのできるシンクユニットを提供する。【解決手段】開口部２を有するカウンター部Ａと洗い槽４の周囲にフランジを周設したシンク部Ｂとからなるシンクユニットであって、上記開口部２の前側縁部２１と後側縁部２２との裏面には断面Ｌ字型のスライドレール３１、３２が上記開口部２の両側端より幅長に下設され、上記シンク部Ｂの洗い槽４の前側フランジ４１と後側フランジ４２とは上記スライドレール３１、３２にスライド自在に保持されるとともに、上記洗い槽４の左側フランジ４３と右側フランジ４４とは張り出して設けられたシンクユニット。【選択図】図１
2009030269.tif 000002
【特許請求の範囲】
【請求項１】
開口部を有するカウンター部と洗い槽の周囲にフランジを周設したシンク部とからなるシンクユニットであって、上記開口部の前側縁部と後側縁部との裏面には断面Ｌ字型のスライドレールが上記開口部の両側端より幅長に下設され、上記シンク部の洗い槽の前側フランジと後側フランジとは上記スライドレールにスライド自在に保持されるとともに、上記洗い槽の左側フランジと右側フランジとは張り出して設けられたシンクユニット。
【請求項２】
上記洗い槽の底面に設けられた排水口からの排水はフレキシブルホースを介して排水管に排出される請求項１に記載のシンクユニット。
【請求項３】
請求項１に記載のシンクユニットがキッチンキャビネットに組み付けられてなる調理台。
【発明の詳細な説明】
【技術分野】
【０００１】
本発明は、シンクの構造に関する。さらに詳しくは、キッチン等において使用され、カウンター部のワークトップの広さが可変とされたシンクユニットに関するものである。
【背景技術】
【０００２】
従来、調理台や洗面台等に用いられるシンクユニットは、まず、工場においてカウンター板の裏面にシンクを取り付け、ついで施工現場においてシンクと一体化したカウンター板をキャビネットに取り付ける方法が一般的に行われている。このカウンター板へのシンクの取付け構造は、例えば、カウンター板のシンク取付け位置に相当する場所に開口部を設け、この開口部を囲むようにカウンター板の裏面に桟木を接着して取り付け、この後に、開口部の周縁の裏面側にシンクのフランジ部を当接させて桟木内に配置し、そして、この桟木で囲まれる部分にウレタン樹脂等の樹脂を充填して硬化させることによって、この硬化された接着用樹脂層でカウンター板の裏面にシンクを接着して取り付けられている。
【０００３】
しかしながら、上記の取付け構造においては、シンクをカウンター板の裏面に接着用樹脂層で固定して一体化しているため、損傷、リフォーム等に際しては、シンクあるいはカウンター板を取り外して交換する場合、シンクあるいはカウンター板のみを取り外すことは極めて困難であった。
【０００４】
そこで、下記特許文献１には、シンクあるいはカウンター板のみの交換を容易に行えるシンクの取付け構造が提案されている。すなわち、キャビネットを構成する側板の上端部あるいは上端部近傍に、内側方に突出せる取付片を突設し、該取付片上にシンクのフランジ部を載置して着脱自在に固定し、さらに該フランジ部上にパッキン材を介してカウンター板を載置して着脱自在に固定してなることを特徴とするシンクの取付け構造が開示されている。
【特許文献１】特開２００２−３４８９３０号公報（第１〜２頁、第１図、第２図）
【発明の開示】
【発明が解決しようとする課題】
【０００５】
一方、近年、使用者のニーズは多様化し、フランジ部上にカウンター板を着脱自在に固定するのみならず、必要に応じてカウンター板のワークトップの広さも変えることのできるシンクユニットが求められている。
【０００６】
本発明はこのような状況に鑑みて考え出されたものであり、使用者の使い勝手のよいようにシンクの位置をカウンターに対して相対移動可能とするとともに、ワークトップの広さを変えることのできるシンクユニットを提供することを、その課題とする。
【課題を解決するための手段】
【０００７】
上記課題を解決するために、本発明においては、つぎのような技術的手段を講じている。すなわち、請求項１に記載の発明によれば、開口部を有するカウンター部と洗い槽の周囲にフランジを周設したシンク部とからなるシンクユニットであって、上記開口部の前側縁部と後側縁部との裏面には断面Ｌ字型のスライドレールが上記開口部の両側端より幅長に下設され、上記シンク部の洗い槽の前側フランジと後側フランジとは上記スライドレールにスライド自在に保持されるとともに、上記洗い槽の左側フランジと右側フランジとは張り出して設けられたシンクユニットが提供される。
【０００８】
上記スライドレールにコロ等を配設し、シンク部の洗い槽の前側フランジと後側フランジとがコロ等を介することによって容易にスライドできるようにしてもよい。また、パッキン等を介装してスライド自在とすることにより、シンク部からの跳ね水がスライドレールに漏れないようにすることも可能である。
【０００９】
請求項２に記載のシンクユニットは、請求項１に記載の発明に加えて、上記洗い槽の底面に設けられた排水口からの排水はフレキシブルホースを介して排水管に排出される。フレキシブルホースとしては、とくに限定されず、例えば、塩化ビニル樹脂を鉄コイルで補強した蛇腹状のホース等を用いることができる。
【００１０】
請求項３に記載の調理台は、請求項１に記載のシンクユニットをキッチンキャビネットに組み付けて構成される。
【発明の効果】
【００１１】
請求項１に記載の発明にかかるシンクユニットは上記のとおりであり、カウンター部の開口部の下方に洗い槽の周囲にフランジを周設したシンク部を、該シンク部の前側フランジと後側フランジとをスライド自在に保持するとともに、上記洗い槽の左側フランジと右側フランジとが張り出して設けられているため、左側フランジをカウンター部の左ワークトップの下にスライド移動し、洗い槽の右側に張り出して設けられた右側フランジで上記開口部を閉鎖することにより、この右側フランジが現出して載置部を構成し、右側のワークトップを広げることができる。そして、調理作業の種類に応じて種々の調理材料や調理道具を置くスペースを右側に広げることができる。
【００１２】
また、右側フランジをカウンター部の右ワークトップの下にスライド移動し、洗い槽の左側に張り出して設けられた左側フランジで上記開口部を閉鎖することにより、この左側フランジが現出して載置部を構成し、左側のワークトップを広げることができる。そして、調理作業の種類に応じて種々の調理材料や調理道具を置くスペースを左側に広げることができる。
【００１３】
請求項２に記載のシンクユニットは上記のとおりであり、請求項１のシンクユニットの有する効果に加え、上記洗い槽の底面に設けられた排水口からの排水はフレキシブルホースを介して排水管に排出されるため、上記シンク部が左右に移動しても、フレキシブルホースがその動きに追従し、排水口からの排水は滞留したり、漏水することなくスムースに排水管に排出される。
【００１４】
請求項３に記載の調理台は、請求項１に記載のシンクユニットをキッチンキャビネットに組み付けて構成されるため、調理作業の種類に応じて種々の調理材料や調理道具を置くスペースを左あるいは右側に広げることができる。また、食器や調理材料の洗浄等の際、使い勝手のよい位置に洗い槽を移動することが可能となり、手際よく調理作業をすることができる。
【発明を実施するための最良の形態】
【００１５】
以下、本発明のシンクユニットをキッチンで用いる実施形態について図面を参照して詳細に説明する。図１は、本発明にかかるシンクユニットを示す分解斜視図である。図１に示すように、上記シンクユニットはカウンター部Ａとシンク部Ｂとから構成されている。上記カウンター部Ａは開口部２を有するカウンター板１からなり、カウンター板１の前面にはエプロン部１１が垂設され、後面には水返し部１２が立設されている。
【００１６】
上記開口部２の前側には前側縁部２１が、後側には後側縁部２２が設けられるとともに、左側には左ワークトップ２３が、右側には右ワークトップ２４が設けられている。また、上記前側縁部２１の裏面には後記する断面Ｌ字型の前側スライドレール３１が、後側縁部２２の裏面には、同じく断面Ｌ字型の後側スライドレール３２が上記開口部２の両側端より幅長に延びて下設されている。
【００１７】
シンク部Ｂは、洗い槽４とその前側に設けられた前側フランジ４１と後側に設けられた後側フランジ４２およびカウンター部Ａの長手方向に張り出して設けられた左側フランジ４３と右側フランジ４４とから構成され、上記前側フランジ４１と後側フランジ４２とは、上記前側スライドレール３１と後側スライドレール３２とにスライド自在に係合される。洗い槽４で食器洗浄等により使用された水は、洗い槽４の底面に設けられた排水口５から排水される。
【００１８】
図２は、上記断面Ｌ字型とされた前側スライドレール３１に前側フランジ４１を、断面Ｌ字型とされた後側スライドレール３２に後側フランジ４２を嵌挿した状態を示す側断面図である。図２に示されているように、シンク部Ｂは、前側フランジ４１と後側フランジ４２とが、前側スライドレール３１と後側スライドレール３２とによってスライド自在に保持されることにより、シンク部Ｂは開口部２の下方で移動自在とされている。
【００１９】
図３は、スライド自在に保持された上記シンク部Ｂを開口部２の下方で左方向に移動させ、右側フランジ４４で開口部２を閉鎖した状態を示す平面図である。このとき、左側フランジ４３は、左ワークトップ２３の下にスライド移動して隠れ、張り出して設けられた右側フランジ４４が現出して右ワークトップ２４と共に載置部を形成する。このようにして、調理作業の種類に応じて種々の調理材料や調理道具を置くスペースを右側に広げることができる。
【００２０】
図４は、スライド自在に保持された上記シンク部Ｂを開口部２の下方で右方向に移動させ、左側フランジ４３で開口部２を閉鎖した状態を示す平面図である。このとき、右側フランジ４４は、右ワークトップ２４の下にスライド移動して隠れ、張り出して設けられた左側フランジ４３が現出して左ワークトップ２３と共に載置部を形成する。このようにして、調理作業の種類に応じて種々の調理材料や調理道具を置くスペースを左側に広げることができる。
【００２１】
図５は、上記シンクユニットをキッチンキャビネットＣに組み付けた場合の洗い槽４の底面に設けられた排水口５からの排水の排水経路を示す説明図である。図５に示されているように、排水口５はトラップ６に接続され、トラップ６はフレキシブルホース７を介して排水管８に接続される。このようにフレキシブルホース７を介することにより、シンク部Ｂが左右に移動しても、排水口５からの排水は滞留したり、漏水することなくスムースに排水管８に排出される。
【００２２】
図６は、本発明にかかるシンクユニットを用いた調理台を示す斜視図である。図６に示されているように、上記シンクユニットは、洗い槽４が略中央となるように配設され、キッチンキャビネットＣに組み付けられている。このようにすることによって、意匠性のよい、使い勝手のよい調理台を提供することができる。
【００２３】
以上シンクユニットをキッチンで用いる実施形態について述べたが、キッチンのみならず洗面キャビネットに組み付け、洗面化粧台とすることも可能である。このように、本発明は設計変更自在であり、特許請求の範囲を逸脱しない限り、いずれも本発明の技術的範囲に属する。
【図面の簡単な説明】
【００２４】
【図１】本発明にかかるシンクユニットを示す分解斜視図である。
【図２】シンク部が開口部の下方でスライド自在に保持された状態を示す断面図である。
【図３】シンク部を開口部の下方で左方向に移動させ、右側フランジで開口部を閉鎖した状態を示す平面図である。
【図４】シンク部を開口部の下方で右方向に移動させ、左側フランジで開口部を閉鎖した状態を示す平面図である。
【図５】洗い槽の底面に設けられた排水口からの排水の排水経路を示す説明図である。
【図６】本発明にかかるシンクユニットを用いた調理台を示す斜視図である。
【符号の説明】
【００２５】
Ａ          カウンター部
Ｂ          シンク部
Ｃ          キッチンキャビネット
１          カウンター板
１１        エプロン部
１２        水返し部
２          開口部
２１        前側縁部
２２        後側縁部
２３        左ワークトップ
２４        右ワークトップ
３１        前側スライドレール
３２        後側スライドレール
４          洗い槽
４１        前側フランジ
４２        後側フランジ
４３        左側フランジ
４４        右側フランジ
５          排水口
６          トラップ
７          フレキシブルホース
８          排水管
【図１】
2009030269.tif 000003
【図２】
2009030269.tif 000004
【図３】
2009030269.tif 000005
【図４】
2009030269.tif 000006
【図５】
2009030269.tif 000007
【図６】
2009030269.tif 000008